(57)【要約】【課題】橋桁ブロックをオーバーハング状に張出して継ぎ足すことにより橋脚間に橋桁を架設する際に、張出した橋桁が風によって振動する問題を簡略な構成によって防止する。【解決手段】所要長さの橋桁ブロック２をオーバーハング状に張出して順次継ぎ足すことにより橋脚および橋脚１Ａ，１Ｂ，１Ｃ間に橋桁３を架設する際における耐風制振手法を有する張出架設工法であって、枠体に遮風シートが取り付けられた簡易フェアリング６を、橋桁ブロック２の幅方向外側に着脱装置を介して予め取り付けておき、簡易フェアリング６を備えた橋桁ブロック２をクレーン１６により吊上げて既設の橋桁ブロック２の先端に接続し、オーバーハング状に張出した橋桁が風により振動する問題を簡易フェアリング６により防止しつつ橋桁ブロック２の継ぎ足し作業を行い、橋脚間に橋桁３が架設されると、橋脚間の各橋桁ブロック２に備えられた簡易フェアリング６は取り外す。【選択図】図１
2009287360.tif 000002
【特許請求の範囲】
【請求項１】
所要長さの橋桁ブロックをオーバーハング状に張出して順次継ぎ足すことにより橋脚間に橋桁を架設する張出架設工法であって、橋桁ブロックの幅方向外側に着脱装置を介して着脱が可能な簡易フェアリングを設け、橋桁ブロックの幅方向外側に着脱装置により予め簡易フェアリングを固定しておき、簡易フェアリングが固定された橋桁ブロックを既設の橋桁ブロックの先端に接続して橋桁ブロックの継ぎ足し作業を行い、橋脚間に橋桁が架設されると、橋脚間の各橋桁ブロックに備えられた簡易フェアリングは着脱装置による固定を解除して取り外すことを特徴とする張出架設工法。
【請求項２】
オーバーハング状に張出して橋桁ブロックを継ぎ足すことにより橋脚間に橋桁を架設する際に用いられる前記橋桁ブロックであって、主桁と、該主桁の幅方向外側に配置される簡易フェアリングと、該簡易フェアリングを主桁の幅方向外側に着脱可能に固定する着脱装置とからなることを特徴とする橋桁ブロック。
【請求項３】
前記主桁は幅方向外側の上端部と下端部に取付部を有しており、前記簡易フェアリングはくの字状に形成された枠体に遮風シートが取り付けられており、着脱装置は枠体の上端部と下端部を前記主桁の取付部に着脱可能に固定するための締結具である請求項２に記載の橋桁ブロック。
【請求項４】
遮風シートが布織物である請求項３に記載の橋桁ブロック。
【請求項５】
遮風シートが樹脂製フィルムである請求項３に記載の橋桁ブロック。
【請求項６】
前記主桁は幅方向外側の上端部と下端部に取付部を有してり、前記簡易フェアリングはくの字状に形成された遮風板からなり、着脱装置は遮風板の上端部と下端部を前記主桁の取付部に着脱可能に固定するための締結具である請求項２に記載の橋桁ブロック。
【発明の詳細な説明】
【技術分野】
【０００１】
本発明は、橋桁ブロックをオーバーハング状に張出して継ぎ足すことにより橋脚間に橋桁を架設する際に、張出した橋桁が風によって振動する問題を簡略な構成によって防止するようにした張出架設工法及び橋桁ブロックに関する。
【背景技術】
【０００２】
橋梁は風によって振動する問題を有しており、振動は橋梁の規模（スパン）が大きくなるほど、及び橋桁がフレキシブルな構造になるほど生じ易くなる。
【０００３】
橋桁に風が作用して生じる振動には、橋桁の上流側の部分に剥離バブルと呼ばれる不安定な渦が発生と消滅を繰返して、橋桁に対する風の揚力を変化させる加振現象、橋桁の下流側に上下一対のカルマン渦が次々に発生し、このカルマン渦が橋桁の上下の縁で交互に分離することによって揚力を変化させる加振現象、風の乱れに起因する不規則な振動現象等が報告されている。
【０００４】
そして、風速の上昇に伴い、上記した加振現象の周期が橋桁の固有振動数と同期して、或いは風の乱れに起因する不規則な振動が大きくなることで、橋桁のたわみ振動やねじれの振幅が著しく増加し、これによって橋梁の破壊落橋、または部分的な破損や疲労破壊を引き起す危険があることが指摘されている。
【０００５】
従って、このような風によって橋桁が振動する問題を抑制するために、橋桁の幅方向端部に固定フェアリングを設けたものが実施されている（特許文献１等参照）。
【０００６】
上記したような固定フェアリングは、吊り橋等の長大橋や橋脚の間隔が大きい大型橋において風によるたわみ振動やねじれ振動の問題が生じるのを防止するために、橋桁に恒久的に設置されるものである。
【特許文献１】特開２００４−２８５７５３号公報
【発明の開示】
【発明が解決しようとする課題】
【０００７】
一方、中型或いは小型の橋梁等において、橋桁ブロックをオーバーハング状に張出して継ぎ足すことにより橋脚間に橋桁を架設する張出架設工法が提案されており、この張出架設工法においては、架設ベントとよばれる足場の建設が省略できるという利点があり、地形条件次第では短期間でしかも少ない経費で橋梁を建設できるという利点がある。
【０００８】
上記したような中型或いは小型の橋梁等は、橋脚間の長さが短く、剛性が高いために風対策を施す必要のない場合がほとんどであり、従って前記したような固定フェアリングを設置するようなことは行われていない。
【０００９】
しかし、橋脚間の長さが長い長スパンの橋梁において、橋桁ブロックをオーバーハング状に張出して継ぎ足す張出架設工法を行う場合には、橋桁の張出し長さや地形条件等によって、オーバーハング状に張出した橋桁が台風等による強い風を受けた場合に振動して破損する可能性がある。
【００１０】
このため、架設する橋桁ブロックに、従来のような固定フェアリングを予め備えておき、この固定フェアリングを備えた橋桁ブロックをオーバーハング状に張出して継ぎ足すことも考えられる。
【００１１】
しかし、経済的な工法として提案されている張出架設工法において、固定フェアリングの構造を備えて橋桁断面を変更することは橋桁の重量の増加と製造価格の増加を招くことになって本末転倒となり、更に橋桁架設時のみに必要な固定フェアリングが橋桁架設後にも残ることになって非常に不経済である。
【００１２】
本発明は、上記実情に鑑みてなしたもので、橋桁ブロックをオーバーハング状に張出して継ぎ足すことにより橋脚間に橋桁を架設する際に、張出した橋桁が風によって振動する問題を簡略な構成によって防止するようにした張出架設工法及び橋桁ブロックを提供しようとするものである。
【課題を解決するための手段】
【００１３】
本発明は、所要長さの橋桁ブロックをオーバーハング状に張出して順次継ぎ足すことにより橋脚間に橋桁を架設する張出架設工法であって、橋桁ブロックの幅方向外側に着脱装置を介して着脱が可能な簡易フェアリングを設け、橋桁ブロックの幅方向外側に着脱装置により予め簡易フェアリングを固定しておき、簡易フェアリングが固定された橋桁ブロックを既設の橋桁ブロックの先端に接続して橋桁ブロックの継ぎ足し作業を行い、橋脚間に橋桁が架設されると、橋脚間の各橋桁ブロックに備えられた簡易フェアリングは着脱装置による固定を解除して取り外すことを特徴とする張出架設工法、に係るものである。
【００１４】
本発明は、オーバーハング状に張出して橋桁ブロックを継ぎ足すことにより橋脚間に橋桁を架設する際に用いられる前記橋桁ブロックであって、主桁と、該主桁の幅方向外側に配置される簡易フェアリングと、該簡易フェアリングを主桁の幅方向外側に着脱可能に固定する着脱装置とからなることを特徴とする橋桁ブロック、に係るものである。
【００１５】
上記橋桁ブロックにおいて、前記主桁は幅方向外側の上端部と下端部に取付部を有しており、前記簡易フェアリングはくの字状に形成された枠体に遮風シートが取り付けられており、着脱装置は枠体の上端部と下端部を前記主桁の取付部に着脱可能に固定するための締結具であることは好ましい。
【００１６】
又、上記橋桁ブロックにおいて、遮風シートが布織物であることは好ましい。
【００１７】
又、上記橋桁ブロックにおいて、遮風シートが樹脂製フィルムであることは好ましい。
【００１８】
又、上記橋桁ブロックにおいて、前記主桁は幅方向外側の上端部と下端部に取付部を有しており、前記簡易フェアリングはくの字状に形成された遮風板からなり、着脱装置は遮風板の上端部と下端部を前記主桁の取付部に着脱可能に固定するための締結具であることは好ましい。
【発明の効果】
【００１９】
本発明によれば、橋桁ブロックの幅方向外側に、枠体に遮風シートが取り付けられた簡易フェアリングを着脱装置を介して予め取り付けておき、簡易フェアリングが取り付けられた橋桁ブロックをクレーンにより吊上げて既設の橋桁ブロックの先端に接続し、オーバーハング状に張出した橋桁が風により振動する問題を簡易フェアリングによって防止しつつ橋桁ブロックの継ぎ足し作業を行い、橋脚間に橋桁が架設されると、橋脚間の各橋桁ブロックに備えられた簡易フェアリングは取り外すようにしたので、オーバーハング状に張出した橋桁に風が作用しても、予め橋桁ブロックに備えた簡易フェアリングによって振動が防止され、しかも橋脚間に橋桁が架設された後は橋脚間の各橋桁ブロックに備えられた簡易フェアリングは取り外すので、この取り外した簡易フェアリングは再び別の橋桁ブロックに使用できるという優れた効果を奏し得る。更に、簡易フェアリングは軽量であって橋桁ブロックの重量への影響は少なくしかも安価に製造できるという優れた効果を奏し得る。
【発明を実施するための最良の形態】
【００２０】
以下、本発明の実施の形態を添付図面を参照して説明する。
【００２１】
図１は本発明の簡易フェアリングを備えた橋桁ブロックを用いてオーバーハング状に張出して継ぎ足すことにより橋桁を架設する状態を示す全体側面図である。図１において、１Ａ、１Ｂ、１Ｃは所要の間隔を有して設置された橋脚（鉄骨橋脚、コンクリート橋台を含む）であり、橋脚１Ａと橋脚１Ｂの間には、複数の橋桁ブロック２が接続されて橋桁３が既に架設されており、橋脚１Ｂと橋脚１Ｃとの間には、前記橋桁３からオーバーハング状に張出した橋桁ブロック２の先端に次の橋桁ブロック２を継ぎ足して接続する状態を示している。図１中、１６はトラベラークレーン等のクレーンであり、クレーン１６は搬入用トレーラ１７によって搬送されてきた橋桁ブロック２を吊上げて、オーバーハング状に張出した橋桁ブロック２の先端に継ぎ足すようにしている。
【００２２】
前記橋桁ブロック２には、代表的なものとして図２、図３に示すように断面が逆台形或いは四角形を有する箱形２ａと称されるものと、図４に示すように左右のＩ形鋼４の間を横桁５によって接続固定したＩ桁２ｂと称されるものとがある。
【００２３】
上記橋桁ブロック２の幅方向外側には、図２に示すように、橋桁ブロック２の長手方向に沿い、くの字状を有して上下中間部が外側に突出した形状の簡易フェアリング６が着脱装置７を介して着脱可能に取り付けられるようになっている。
【００２４】
前記簡易フェアリング６は、図５に示すように、くの字状に形成された枠体８と、該枠体８を覆うように枠体８に取り付けた遮風シート９とにより構成されている。
【００２５】
前記枠体８は、単管パイプによってくの字状に形成された縦材１０を所要の間隔で横方向に配置し、各縦材１０の一端（上端）と、他端（下端）と、中間部を夫々横材１１ａ，１１ｂ，１１ｃによって連結した構成を有している。図５では、くの字状に曲げられた単管パイプからなる縦材１０を用いた場合を示しているが、直線の単管パイプを連結することによってくの字状に形成してもよい。前記縦材１０と横材１１ａ，１１ｂ，１１ｃの連結には、足場の組み立て等に用いられる２本の単管パイプを任意の角度で連結できる単管クランプ１５等を用いて連結することができる。尚、前記枠体８は前記縦材１０と横材１１ａ，１１ｂ，１１ｃを溶接により固定して形成することもできる。
【００２６】
前記遮風シート９には、軽量で所要の強度を有して遮風できる布織物、或いは樹脂製フィルム等を用いることができる。
【００２７】
前記橋桁ブロック２の幅方向外側の上端部と下端部には、図５に示すように孔開き板或いはアイプレート、更には橋桁ブロック２に備えられている足場取付金具を流用するようにした取付部１２が備えられており、更に、前記枠体８の上端部と下端部を前記橋桁ブロック２の取付部１２の孔１２ａに対して着脱可能に取り付けるボルト等の締結具１３からなる着脱装置７を備えている。図５の枠体８では上下の横材１１ａ，１１ｃの端部に前記取付部１２の孔１２ａに対応する孔１４ａを備えた板１４が固定してあり、該板１４を前記橋桁ブロック２の取付部１２にボルトによる締結具１３で固定するようにしているが、前記枠体８の横材１１ａ，１１ｃに板１４を備えることなく、足場の組み立て等に用いられているキャッチクランプ等により前記横材１１ａ，１１ｃを掴んで橋桁ブロック２の取付部１２に固定するようにしてもよい。
【００２８】
以下に上記形態例の作動を説明する。
【００２９】
橋桁を架設するには、図２〜図４に示す橋桁ブロック２に対して、図５に示すような構成の簡易フェアリング６を予め着脱装置７により取り付けておく。この時、簡易フェアリング６は枠体８と遮風シート９とにより構成されているため軽量であり、よって橋桁ブロック２に対する重量増加の影響は少なく、しかも安価に製造することができる。
【００３０】
簡易フェアリング６が取り付けられた橋桁ブロック２は、搬入用トレーラ１７に載置されて架設された橋桁３上を搬送され、クレーン１６の近くまで移動した後、クレーン１６により吊上げられ、オーバーハング状に張出した橋桁ブロック２の先端に継ぎ足される。
【００３１】
上記により、オーバーハング状に張出した状態の各橋桁ブロック２には簡易フェアリング６が備えられているため、オーバーハング状に張出した状態の橋桁（橋桁ブロック２）に台風等による風が作用しても、橋桁ブロック２に備えた簡易フェアリング６によって風が乱される問題は防止され、張出した橋桁ブロック２が振動する問題は防止することができる。
【００３２】
更に、橋桁ブロック２の継ぎ足し作業を行って、図１の橋脚１Ｂと橋脚１Ｃの間に橋桁が架設されると、架設された橋桁の各橋桁ブロック２に備えられた簡易フェアリング６は締結具１３を取り外して締結装置７の固定を解除することにより取り外す。図１では橋脚１Ａと橋脚１Ｂの間には既に橋桁３が架設されているので、この架設された橋桁３の橋桁ブロック２に備えられた簡易フェアリング６は取り外した状態を示している。
【００３３】
図６は、前記簡易フェアリング６の他の例を示すもので、強化プラスチック板、金属プレート等によってくの字状に形成した遮風板２０により簡易フェアリング６を形成しており、遮風板２０の上端部と下端部には取付穴２１が設けてあり、前記遮風板２０は図５に示した着脱装置７による締結具１３或いは他の取付金具と締結具１３とを組み合わせて用いることにより、取付穴２１を介して、橋桁ブロック２の上下の取付部１２に着脱可能に固定できるようにしている。そして、遮風板２０による簡易フェアリング６においても、前記枠体８と遮風シート９とから構成された簡易フェアリング６の場合と同様に作用することができる。
【００３４】
上記したように、橋脚間に橋桁３が架設されて簡易フェアリング６が取り外された橋桁ブロック２上には、図７に示すように床版１８が一体に形成されて、橋梁１９が構築される。
【００３５】
上記したように、簡易フェアリング６を備えた橋桁ブロック２を継ぎ足して橋桁３を架設するようにしているので、オーバーハング状に張出した橋桁ブロック２に風が作用しても、橋桁ブロック２に備えた簡易フェアリング６によって振動が防止されて安全を保持することができる。
【００３６】
更に、橋脚間に橋桁３が架設された後は、橋桁ブロック２に備えた簡易フェアリング６は取り外すようにしているので、この取り外した簡易フェアリング６は再び別の橋桁ブロック２に使用することができる。
【００３７】
なお、本発明は種々の形状の橋桁ブロックに適用できること、簡易フェアリングの構成は種々変更し得ること、その他、本発明の要旨を逸脱しない範囲内において種々変更を加え得ることは勿論である。
【図面の簡単な説明】
【００３８】
【図１】本発明の簡易フェアリングを備えた橋桁ブロックを用いてオーバーハング状に張出して継ぎ足すことにより橋桁を架設する状態を示す全体側面図である。
【図２】簡易フェアリングを備えた橋桁ブロックの斜視図である。
【図３】図２の正面図である。
【図４】図３とは異なる形状の橋桁ブロックの正面図である。
【図５】簡易フェアリングの構成の一例を示す一部破断斜視図である。
【図６】簡易フェアリングの構成の他の例を示す斜視図である。
【図７】橋桁ブロック上に床版が一体に形成された橋梁の斜視図である。
【符号の説明】
【００３９】
１Ａ，１Ｂ，１Ｃ    橋脚
２  橋桁ブロック
３  橋桁
６  簡易フェアリング
７  着脱装置
８  枠体
９  遮風シート
１２  着脱部
１３  固定具
１６  クレーン
２０  遮風板
【図１】
2009287360.tif 000003
【図２】
2009287360.tif 000004
【図３】
2009287360.tif 000005
【図４】
2009287360.tif 000006
【図５】
2009287360.tif 000007
【図６】
2009287360.tif 000008
【図７】
2009287360.tif 000009